(57)【要約】      （修正有）【課題】使用者が限定されなく、また携帯に便利で、かつ安価な二輪車用補助ベルトを提供する。【解決手段】同乗者Ａの腰に当てる幅広で長手のパッド１と、パッド１に横方向に伸びて取付けられ運転者Ｂの腰に回す腰ベルト２Ａ、２Ｂと、腰ベルトの端部に取付けられ、長さが調節可能でワンタッチで着脱可能なバックル３と、パッドに縦方向に伸びて取付けられ同乗者Ａ及び運転者Ｂの肩に掛ける一対の肩ベルト５Ａ、５Ｂと、一対の肩ベルトにそれぞれ取付けられ肩ベルトの長さが調節可能で肩ベルトを腰ベルトにワンタッチで着脱可能に取付けられるバックル６と、一対の肩ベルトに摺動自在に取付けられた肩幅調節ベルト１１Ａ、１１Ｂとを備えている。【選択図】図１
0003119894.tif 000002
【実用新案登録請求の範囲】
【請求項１】
同乗者の腰に当てる幅広で長手のパッドと、このパッドに横方向に伸びて取付けられ運転者の腰に回す腰ベルトと、この腰ベルトの端部に取付けられ腰ベルトの長さが調節可能でワンタッチで着脱可能なバックルと、前記パッドに縦方向に伸びて取付けられ同乗者及び運転者の肩に掛ける一対の肩ベルトと、この一対の肩ベルトにそれぞれ取付けられ肩ベルトの長さが調節可能で肩ベルトを前記腰ベルトにワンタッチで着脱可能に取付けらるバックルと、前記一対の肩ベルトに摺動自在に取付けられた肩幅調節ベルトとを備えていることを特徴とする二輪車二人乗り用補助ベルト。
【請求項２】
前記肩幅調節ベルトは、該肩幅調節ベルトの長さが調節可能でワンタッチで着脱可能なバックルを有していることを特徴とする請求項１記載の二輪車二人乗り用補助ベルト。
【請求項３】
前記一対の肩ベルトは、リックサックの肩ベルトを兼用していることを特徴とする請求項１記載の二輪車二人乗り用補助ベルト。
【考案の詳細な説明】
【技術分野】
【０００１】
本考案は、二輪車の後部座席に乗車した同乗者の補助に用いる二輪車二人乗り用補助ベルトに関する。
【背景技術】
【０００２】
従来、二輪車の後部座席に子供を安全に乗車させ、また転倒時にその身体を保護するものとして、例えば特許文献１が挙げられる。特許文献１は、同乗者が子供を前提としており、子供用安全衣に肩ベルト及び腰ベルトを取付けている。そこで、子供用安全衣を子供に着せ、運転者が肩ベルトを背負う。そして、腰ベルトを運転者の腰に回して止める。これにより、同乗者の身体の動きを固定することができる。
【特許文献１】特開２００５−２５６２５９号公報
【考案の開示】
【考案が解決しようとする課題】
【０００３】
上記従来技術は、使用者は子供に限定される。また安全衣であり、かさばって携帯に不便であると共に、コスト高になる。
【０００４】
本考案の課題は、使用者が限定されなく、また携帯に便利で、かつコストダウンが図れる二輪車二人乗り用補助ベルトを提供することにある。
【課題を解決するための手段】
【０００５】
上記課題を解決するための本考案の請求項１は、同乗者の腰に当てる幅広で長手のパッドと、このパッドに横方向に伸びて取付けられ運転者の腰に回す腰ベルトと、この腰ベルトの端部に取付けられ腰ベルトの長さが調節可能でワンタッチで着脱可能なバックルと、前記パッドに縦方向に伸びて取付けられ同乗者及び運転者の肩に掛ける一対の肩ベルトと、この一対の肩ベルトにそれぞれ取付けられ肩ベルトの長さが調節可能で肩ベルトを前記腰ベルトにワンタッチで着脱可能に取付けらるバックルと、前記一対の肩ベルトに摺動自在に取付けられた肩幅調節ベルトとを備えていることを特徴とする。
【０００６】
上記課題を解決するための本考案の請求項２は、上記請求項１において、前記肩幅調節ベルトは、該肩幅調節ベルトの長さが調節可能でワンタッチで着脱可能なバックルを有していることを特徴とする。
【考案の効果】
【０００７】
パッドに腰ベルト及び肩ベルトを取付けた構造よりなり、同乗者が子供でも大人でも使用できると共に、かさばる部材がなくて携帯に便利であり、また簡素化された構造であるので、コストダウンが図れる。また肩幅調節ベルトで肩ベルトの幅を規制するので、肩ベルトが運転者及び同乗者から離れるのが防止される。
【考案を実施するための最良の形態】
【０００８】
本考案の二輪車二人乗り用補助ベルトの一実施の形態を図１乃至図４により説明する。同乗者Ａの腰に当てる幅広で長手のパッド１を有し、このパッド１の両端部には、横方向に伸びた一対の腰ベルト２Ａ、２Ｂの一端部が固定されている。腰ベルト２Ａの他端は、ワンタッチで着脱可能なバックル３の一方の雄部３Ａの長さ調節部に挿入して装着されている。腰ベルト２Ｂの他端は、バックル３の他方の雌部３Ｂに折り返して挿入されると共に、途中に長さ調節リング４が装着されている。
【０００９】
パッド１には、縦方向に伸びた一対の肩ベルト５Ａ、５Ｂの一端が固定されている。肩ベルト５Ａ、５Ｂの他端はワンタッチで着脱可能なバックル６、６の一方の雄部６Ａ、６Ａの長さ調節部に挿入して装着されている。バックル６、６の雌部６Ｂ、６Ｂは腰ベルト２Ａ、２Ｂに摺動自在に装着された輪部を有する取付け帯７Ａ、７Ｂに取付けられている。
【００１０】
同乗者Ａの背部に対応する一対の肩ベルト５Ａ、５Ｂの部分の幅が必要以上に開かないように、肩ベルト５Ａ、５Ｂには連結帯１０が固定されている。また運転者Ｂと同乗者Ａとの肩部又は運転者Ｂの肩の前側に対応する肩ベルト５Ａ、５Ｂの部分の幅が必要以上に開かないように、肩ベルト５Ａ、５Ｂには肩幅調節ベルト１１Ａ、１１Ｂが設けられている。肩幅調節ベルト１１Ａ、１１Ｂは肩ベルト５Ａ、５Ｂに摺動自在に装着された輪部を有しており、肩幅調節ベルト１１Ａはワンタッチで着脱可能なバックル１２の一方の雄部１２Ａの長さ調節部に挿入して装着されている。肩幅調節ベルト１１Ｂはバックル１２の他方の雌部１２Ｂが取付けられている。
【００１１】
次に使用方法について説明する。まず、肩幅調節ベルト１１Ａ、１１Ｂの位置を調節する。同乗者Ａが子供の場合には、肩幅調節ベルト１１Ａ、１１Ｂが同乗者Ａの肩と運転者Ｂの肩の間に位置するように肩ベルト５Ａ、５Ｂに沿って移動させる。同乗者Ａが大人の場合には、肩ベルト５Ａ、５Ｂは前記と同じ位置でも、または運転者Ｂの肩の前方に位置させてもよい。またバックル１２で肩幅調節ベルト１１Ａ、１１Ｂの長さを調節し、同乗者Ａ又は運転者Ｂの肩部分の肩ベルト５Ａ、５Ｂの幅を調節する。
【００１２】
次に同乗者Ａを後部座席に乗せ、バックル３の雄部３Ａと雌部３Ｂ及びバックル６、６の雄部６Ａ、６Ａと雌部６Ｂ、６Ｂを離した状態で、パッド１を同乗者Ａの腰に当て、腰ベルト２Ａ、２Ｂを運転者Ｂの腰に回してバックル３を止める。そして、バックル３及び長さ調節リング４で腰ベルト２Ａ、２Ｂの長さを調節する。これにより、同乗者Ａの腰部の前後の動きを固定することができる。また肩ベルト５Ａ、５Ｂを運転者Ｂの肩に掛けた状態でバックル６、６を止め、バックル６、６で肩ベルト５Ａ、５Ｂの長さを調節することにより、同乗者Ａの上体を拘束することができる。
【００１３】
このように、パッド１に腰ベルト２Ａ、２Ｂ及び肩ベルト５Ａ、５Ｂを取付けた構造よりなり、同乗者Ａが子供でも大人でも使用できると共に、かさばる部材がなくて携帯に便利であり、また簡素化された構造であるので、コストダウンが図れる。また肩幅調節ベルト１１Ａ、１１Ｂで肩ベルト５Ａ、５Ｂの幅を規制するので、肩ベルト５Ａ、５Ｂが運転者Ｂ及び同乗者Ａから離れるのが防止される。
【００１４】
図５は本考案の二輪車二人乗り用補助ベルトの他の実施の形態を示す。本実施の形態は、パッド１への腰ベルト及び肩ベルトの取付けが前記実施の形態と異なるのみであり、その他は前記実施の形態と同じである。そこで、異なる部分のみについて説明する。前記実施の形態は、２本の腰ベルト２Ａ、２Ｂよりなっており、腰ベルト２Ａ、２Ｂの一端部はパッド１に固定されている。本実施の形態は、パッド１の背面部の中央部と両側部にベルト挿入部２０、２１、２２を設け、このベルト挿入部２０、２１、２２に１本の腰ベルト２が移動可能に挿入されている。ここで、ベルト挿入部２０、２１、２２はバックル３（３Ａ、３Ｂ）が通過できる大きさの挿入穴に形成されている。そして、腰ベルト２の両端部に前記実施の形態のバックル３（３Ａ、３Ｂ）が取付けられている。
【００１５】
また前記実施の形態は、肩ベルト５Ａ、５Ｂの一端をパッド１に直接固定した。本実施の形態は、肩ベルト５Ａ、５Ｂの一端がそれぞれワンタッチで着脱可能なバックル２３の一方の雄部２３Ａの長さ調節部に挿入して装着されている。バックル２３の他方の雌部２３Ｂは腰ベルト２に摺動自在に取付けられた取付け帯２４に取付けられている。
【００１６】
本実施の形態は、前記実施の形態と同じ作用及び効果の他に、次のような作用及び効果が得られる。バックル６、６の雄部６Ａ、６Ａと雌部６Ｂ、６Ｂ及びバックル２３の雄部２３Ａと雌部２３Ｂを離すことにより、肩ベルト５Ａ、５Ｂをパッド１より分離させることができる。またバックル３の雄部３Ａと雌部３Ｂを離し、腰ベルト２をベルト挿入部２０、２１、２２より抜くことにより、腰ベルト２をパッド１より分離させることができる。このように、パッド１、腰ベルト２Ａ、２Ｂ及び肩ベルト５Ａ、５Ｂに分離できるので、更にかさばらなく、携帯及び保管が更に便利となる。しかし、前記実施の形態より部品が多くなるので、前記実施の形態よりコスト高になる。
【００１７】
なお、上記実施の形態においては、肩幅調節ベルト１１Ａ、１１Ｂは、長さ調節可能なバックル１２で着脱可能に設けたが、バックル１２を設けなくて１本の肩幅調節ベルトでもよい。また肩ベルト５Ａ、５Ｂをリックサックの肩ベルトとして兼用させてもよい。このような構成にすると、二輪車に乗らない場合、または二輪車に運転者のみが乗った場合には、リックサックとして使用することができ便利である。または肩ベルト５Ａ、５Ｂにバッグ本体を取付け取外し可能に設けるようにしてもよい。また腰ベルト２Ａ、２Ｂにウェストバック等を取付けるようにしてもよい。
【図面の簡単な説明】
【００１８】
【図１】本考案の二輪車二人乗り用補助ベルトの一実施の形態を示す正面図である。
【図２】図１の背面図である。
【図３】斜視説明図である。
【図４】使用状態を示す側面図である。
【図５】本考案の二輪車二人乗り用補助ベルトの他の実施の形態を示す背面図である。
【符号の説明】
【００１９】
Ａ    同乗者
Ｂ    運転者
１    パッド
２、２Ａ、２Ｂ    腰ベルト
３    バックル
４    長さ調節リング
５Ａ、５Ｂ    肩ベルト
６    バックル
７Ａ、７Ｂ    取付け帯
１０    連結帯
１１Ａ、１１Ｂ    肩幅調節ベルト
１２    バックル
２０、２１、２２    ベルト挿入部
２３    バックル
２４    取付け帯
【図１】
0003119894.tif 000003
【図２】
0003119894.tif 000004
【図３】
0003119894.tif 000005
【図４】
0003119894.tif 000006
【図５】
0003119894.tif 000007